(57)【特許請求の範囲】
【請求項１】
電球用の電源ソケットに着脱自在に接続される電源接続用口金を有する電源接続部と、
電球の口金が接続される電球接続用ソケットを有する電球接続部と、
前記電源接続用口金の中心線に沿った第１軸回りに回転自在に電源接続部に支持した可動支持部であって、前記電球接続部を前記第１軸に立体的或いは平面的に交差する第２軸回りに回動自在で且つ第１及び第２軸に交差する第３軸方向に位置調整可能に支持する可動支持部と、
を備え、
前記可動支持部に第３軸方向に貫通する開口部を有する環状部を設けるとともに、前記環状部における第２軸の軸線上の両側部に第３軸方向に細長い１対の案内スリットを設け、前記電球接続部の途中部に両案内スリットに内嵌する第２軸方向の１対の軸部を設け、前記電球接続部を開口部内において可動支持部に、前記軸部を中心に回動自在に且つ前記案内スリットに沿って第３軸方向に位置調整可能に取り付けた、
ことを特徴とする電球用アダプタ。
【請求項２】
前記案内スリットの第３軸方向の途中部に、前記軸部を第３軸方向に位置調整可能に保持する幅狭部を形成した請求項１記載の電球用アダプタ。
【請求項３】
前記案内スリットの少なくとも一方の側方に案内スリットに沿った細長い補助スリットを形成し、前記案内スリットと補助スリット間の中間壁部の素材の弾性を利用して、前記軸部を第３軸方向に位置調整可能に保持する請求項１又は２記載の電球用アダプタ。
【請求項４】
前記電源接続用口金と電球接続用ソケットとを配線コードで電気的に接続した請求項１〜３のいずれか１項記載の電球用アダプタ。
【請求項５】
前記電源ソケットが、ダウンライトの電源ソケットであり、前記第３軸方向が上下方向であり、前記電球接続用ソケットに接続される電球がＬＥＤ電球である請求項１〜４のいずれか１項記載の電球用アダプタ。
【発明の詳細な説明】
【技術分野】
【０００１】
本発明は、ダウンライトに好適に使用可能な電球用アダプタに関する。
【背景技術】
【０００２】
近年、省エネルギーの観点から、一般家庭においても、照明器具の白熱電球を発光ダイオード（ＬＥＤ：Ｌｉｇｈｔ  Ｅｍｉｔｔｉｎｇ  Ｄｉｏｄｅ）を用いたＬＥＤ電球に交換する交換作業が広く実施されている。
【０００３】
ところで、ＬＥＤ電球は、白熱電球と比較して、消費電力が少なく、寿命も長いという利点を有するが、光の照射方向に指向性があり、白熱電球にように全方位に光を照射できないことから、次のような問題がある。
【０００４】
即ち、玄関の天井に設置されるダウンライトとしては、白熱電球を鉛直方向に対して斜め下側へ向けて傾斜状に取り付けたものが広く採用されているが、このダウンライトにおける白熱電球をＬＥＤ電球に交換すると、ダウンライトの真下を十分に照明できず、使用に耐えないものになるという問題が発生する。
【０００５】
そこで、このような問題を解決するために、白熱電球用のソケットに着脱自在に取り付けられるＬＥＤ電球用アダプタであって、電球用の電源ソケットに着脱自在に螺合される電源接続用口金を有する電源接続部と、電球の口金が螺合される電球接続用ソケットを有する電球接続部と、電源接続部に対して回転自在に且つ電源接続部の軸方向に沿って移動自在に支持された可動支持部であって、前記電球接続部を電源接続部の軸方向と直交する軸回りに回動自在に支持する可動支持部とを備えたＬＥＤ電球用アダプタが提案され、実用化されている（例えば、特許文献１参照。）。
【０００６】
この特許文献１記載のＬＥＤ電球用アダプタでは、可動支持部を電源接続部に対して回転させるとともに、電球接続部を可動支持部に対して回動させることで、利用者の好みに応じて光の照射方向を調整でき、また可動支持部を電源接続部の軸方向に沿って移動させることで、ダウンライトの下面を開口させた半球状や円錐台状や有底な円筒状のランプケースの中心線上にＬＥＤ電球の中心を配置して、電球用ソケットを効果的に使用できるという利点を有している。
【先行技術文献】
【特許文献】
【０００７】
【特許文献１】特開２０１１−１８１３７９号公報
【発明の概要】
【発明が解決しようとする課題】
【０００８】
ところが、前記特許文献１記載のＬＥＤ電球用アダプタでは、斜めに配置された電源ソケットに対して、電源接続部及び可動支持部を接続し、更にＬＥＤ電球が縦向きに配置されるように、電球接続部及びＬＥＤ電球を可動支持部に支持するので、ＬＥＤ電球の下端部が、電源ソケットに対して白熱電球を取付けた場合における白熱電球の下端部よりも低い位置に配置され、ＬＥＤ電球の下部がランプケースから下方へ突出して、ダウンライトの見栄え性が低下するという問題があった。
【０００９】
また、特許文献１記載のＬＥＤ電球用アダプタでは、導電性を有する金属板を可動部分において繋ぎ合わせて、通電回路を構成していたので、部品点数が多く構造が複雑で、しかも組立性の良くないものであった。しかも、ＬＥＤ電球用アダプタは一度角度調整を行うと、基本的には角度調整する必要のないものなので、通電回路を複雑にすることによるメリットも殆どなく、反対に接触不良の発生が懸念されるという問題がある。
【００１０】
更に、本発明者は、特許文献１記載のＬＥＤ電球用アダプタでは、可動支持部を電源接続部の軸方向に沿って移動させることで、ＬＥＤ電球の中心をダウンライトのランプケースの底面の中心線上に配置できるように構成しているが、ＬＥＤ電球の中心がダウンライトのランプケースの中心線から多少ずれたとしても、ＬＥＤ電球の角度を調整することで、照明としての機能は殆ど低下しないことを見出した。
【００１１】
本発明の目的は、白熱電球用のダウンライトの白熱電球をＬＥＤ電球に交換するときに採用可能な電球用アダプタであって、ＬＥＤ電球による照明の向きを任意に調整でき、しかもＬＥＤ電球をできるだけ上側に配置して、ＬＥＤ電球の下端がランプケースから下側へ突出することによる外観低下を極力防止可能な電球用アダプタを提供することである。
【課題を解決するための手段】
【００１２】
本発明に係る電球用アダプタは、電球用の電源ソケットに着脱自在に接続される電源接続用口金を有する電源接続部と、電球の口金が接続される電球接続用ソケットを有する電球接続部と、前記電源接続用口金の中心線に沿った第１軸回りに回転自在に電源接続部に支持した可動支持部であって、前記電球接続部を前記第１軸に立体的或いは平面的に交差する第２軸回りに回動自在で且つ第１及び第２軸に交差する第３軸方向に位置調整可能に支持する可動支持部とを備えたものである。
【００１３】
この電球用アダプタでは、電球用アダプタの電源接続部を電球用の電源ソケットに取り付けてから、電球用アダプタの電球接続部に電球を取り付け、その後電球の向きを第１軸回り及び第２軸回りに調整して、電球の向きを調整できる。また、電球接続部を第３軸方向に位置調整することで、例えば電球の高さを調整できる。このため、この電球用アダプタを用いて、例えば玄関の天井等に設置されるダウンライトの白熱電球をＬＥＤ電球に交換する場合には、電球接続部がランプケース内のできるだけ上部側に位置するように、電球用アダプタの可動支持部に対する電球接続部の第３軸方向（高さ方向）の位置を調整した後、電球用アダプタの電源接続用口金を電源ソケットに接続して、電球用アダプタの電球接続用ソケットにＬＥＤ電球を取り付け、その後ＬＥＤ電球の向きを第１軸回り及び第２軸回りに調整して、ＬＥＤ電球からの光の照射方向を調整でき、白熱電球を用いた場合と同様に、ダウンライトの真下を照明することができる。また、ランプケースの深さに応じて電球接続部の高さ位置を調整して、ＬＥＤ電球をランプケースのできるだけ上部側へ配置させることで、ＬＥＤ電球の下端部がランプケースから下方へ突出することを極力防止することができ、ＬＥＤ電球の下端部がランプケースから下方へ突出することによる、ダウンライトの見栄え性の低下を防止できる。
【００１４】
ここで、前記可動支持部に第３軸方向に貫通する開口部を有する環状部を設けるとともに、前記環状部における第２軸の軸線上の両側部に第３軸方向に細長い１対の案内スリットを設け、前記電球接続部の途中部に両案内スリットに内嵌する第２軸方向の１対の軸部を設け、前記電球接続部を開口部内において可動支持部に、前記軸部を中心に回動自在に且つ前記案内スリットに沿って第３軸方向に位置調整可能に取り付けることが好ましい実施の形態である。この場合には、簡単な構成により、可動支持部に対して電球接続部を、第２軸回りに回動自在で且つ第３軸方向に位置調整可能に取付けることができる。
【００１５】
前記案内スリットの第３軸方向の途中部に、前記軸部を第３軸方向に位置調整可能に保持する幅狭部を形成することも好ましい実施の形態である。この場合には、幅狭部を形成するという簡単な構成により、可動支持部に対して電球接続部を第３軸方向に、２位置以上の複数位置に位置調整可能に保持できる。
【００１６】
前記案内スリットの少なくとも一方の側方に案内スリットに沿った細長い補助スリットを形成し、前記案内スリットと補助スリット間の中間壁部の素材の弾性を利用して、前記軸部を第３軸方向に位置調整可能に保持することも好ましい実施の形態である。この場合には、案内スリットと補助スリット間の中間壁部の素材の弾性を利用するという簡単な構成により、部品点数を増やすことなく、前記軸部を第３軸方向に位置調整可能に安定性良く保持できる。
【００１７】
前記電源接続用口金と電球接続用ソケットとを配線コードで電気的に接続することも好ましい実施の形態である。本発明では、電球用アダプタにより、電球の向きを調整するだけなので、第１軸回り及び第２軸回りに対する電球の回転や回動の範囲は極限られて範囲であるので、電源接続用口金と電球接続用ソケットとを配線コードで直接的に電気的に接続しても、配線コードに対して無理な力が作用することはないので、このように構成することで、電源接続用口金と電球接続用ソケットの通電回路を大幅に簡素に構成できる。
【００１８】
前記電源ソケットが、ダウンライトの電源ソケットであり、前記第３軸方向が上下方向であり、前記電球接続用ソケットに接続される電球がＬＥＤ電球であることが好ましい実施の形態である。電球用アダプタには、白熱電球を取り付けることも可能であるが、光の照射方向を調整できるので、ＬＥＤ電球を取り付けることが好ましい。また、この電球用アダプタは、ダウンライトに好適である。即ち、前述のようにダウンライトでは、鉛直方向に対して斜めに白熱電球を取り付けるので、ＬＥＤ電球に交換するとダウンライトの真下を照明できないが、本発明の電球用アダプタを用いると、白熱電球をＬＥＤ電球に交換した場合でも、ダウンライトの真下を照明することができ、しかもダウンライトのランプケースから下側へＬＥＤ電球の下端部が突出することを極力防止できるので好ましい。ただし、この電球用アダプタは、ランプケース以外の照明器具に対しても適用できる。
【発明の効果】
【００１９】
本発明に係る電球用アダプタによれば、電球用アダプタの電源接続部を電球用の電源ソケットに取り付けてから、電球用アダプタの電球接続部に電球を取り付け、その後電球の向きを第１軸回り及び第２軸回りに調整して、電球の向きを調整できる。また、電球接続部を第３軸方向に位置調整することで、例えば電球の高さを調整できる。このため、この電球用アダプタを用いて、例えば玄関の天井等に設置されるダウンライトの白熱電球をＬＥＤ電球に交換する場合には、電球接続部がランプケース内のできるだけ上部側に位置するように、電球用アダプタの可動支持部に対する電球接続部の第３軸方向（高さ方向）の位置を調整した後、電球用アダプタの電源接続用口金を電源ソケットに接続して、電球用アダプタの電球接続用ソケットにＬＥＤ電球を取り付け、その後ＬＥＤ電球の向きを第１軸回り及び第２軸回りに調整して、ＬＥＤ電球からの光の照射方向を調整でき、白熱電球を用いた場合と同様に、ダウンライトの真下を照明することができる。また、ランプケースの深さに応じて電球接続部の高さ位置を調整して、ＬＥＤ電球をランプケースのできるだけ上部側へ配置させることで、ＬＥＤ電球の下端部がランプケースから下方へ突出することを極力防止することができ、ＬＥＤ電球の下端部がランプケースから下方へ突出することによる、ダウンライトの見栄え性の低下を防止できる。
【図面の簡単な説明】
【００２０】
【図１】ダウンライトの縦断面図
【図２】ＬＥＤ電球を組付けた状態での電球用アダプタの斜視図
【図３】ＬＥＤ電球及び電球用アダプタの分解斜視図
【図４】ＬＥＤ電球を組付けた状態での電球用アダプタの正面図
【図５】ＬＥＤ電球を組付けた状態での電球用アダプタの平面図
【図６】ＬＥＤ電球を組付けた状態での電球用アダプタの縦断面図
【図７】図６のVII-VII線断面図
【発明を実施するための形態】
【００２１】
以下、本発明の実施の形態について図面を参照しながら説明する。なお、本実施の形態は、ダウンライトの白熱電球をＬＥＤ電球に交換するために、ダウンライトに対して電球用アダプタを適用した場合のものである。
【００２２】
図１に示すように、ダウンライト１は、下側へ向けて開口する円錐台状のランプケース２と、白熱電球用の電源ソケット３と、電源ソケット３をランプケース２の斜め上側に固定支持する取付金具４とを備え、玄関等の天井５に形成した開口部６を通じて埋め込み施工されている。電源ソケット３は、それに取り付けた白熱電球（図示略）の発光部がランプケース２の上部中央部内に配置されるように、取付金具４により鉛直方向に対して傾斜状に支持されている。
【００２３】
本発明に係る電球用アダプタ２０は、このようなダウンライト１において、白熱電球に代えてＬＥＤ電球１０を電源ソケット３に取り付ける場合に用いるものである。ただし、ＬＥＤ電球１０に代えて白熱電球を電球用アダプタ２０に取り付けることも可能であるし、この電球用アダプタ２０は、白熱電球を用いるダウンライト１以外の照明器具に対しても適用できる。
【００２４】
ＬＥＤ電球１０は、円錐台状の基体部１１と、基体部１１の小径側の端部に絶縁部材１２を介して固定した口金１３と、基体部１１の大径側の端部に固定した基板１４と、該基板１４を覆うように基体部１１の大径側の端部に取り付けた透明な半球状のグローブ１５と、基板１４のグローブ１５側の面に取り付けたＬＥＤ素子１６と、ＬＥＤ素子１６の図示外の点灯回路とを備え、ＬＥＤ素子１６を発光させて、その光をグローブ１５を通じて外部に照射する周知の構成のものである。
【００２５】
電球用アダプタ２０は、図１〜図７に示すように、電球用の電源ソケット３に着脱自在に接続される電源接続用口金３１を有する電源接続部３０と、ＬＥＤ電球１０の口金１３が接続される電球接続用ソケット４１を有する電球接続部４０と、電源接続用口金３１の中心線に沿った第１軸Ｌ１回りに回転自在に電源接続部３０に支持した可動支持部５０であって、電球接続部４０を前記第１軸Ｌ１に立体的或いは平面的に交差する第２軸Ｌ２回りに回動自在で且つ第１及び第２軸Ｌ１、Ｌ２に交差する第３軸Ｌ３方向に位置調整可能に支持する可動支持部５０とを備えている。ただし、第１軸Ｌ１は、電源接続用口金３１の中心線上に配置することも可能であるし、電源接続用口金３１の中心線と平行に配置することも可能であるし、電源接続用口金３１の中心線に対して多少の角度を付けて配置することも可能である。また、第２軸Ｌ２は、第１軸Ｌ１に間隔をあけて立体的に交差するように構成してもよいし、第１軸Ｌ１と同一平面内に配置させて交差するように構成してもよい。更に、第１軸Ｌ１と第２軸Ｌ２とは直交させることが好ましいが、９０°以外の角度で交差するように配置してもよい。また、第３軸Ｌ３は、電球用アダプタ２０をダウンライト１に組み付けた状態で、上下方向となるように配置することが好ましい。
【００２６】
電源接続部３０は、絶縁材料からなる円筒状の支持部材３２と、支持部材３２の外側端部に外嵌状に取り付けたネジ式の電源接続用口金３１と、電源接続用口金３１の底面の中央部に絶縁材を介して外部へ突出状に設けた中心電極３３とを備えている。
【００２７】
電球接続部４０は、有底円筒状の外ケース４２と、外ケース４２に内嵌される有底円筒状の内ケース４３と、内ケース４３に内嵌されるネジ式の電球接続用ソケット４１と、内ケース４３の奥端面の中央部に取り付けた中央端子４４とを備え、電球接続用ソケット４１及び中央端子４４は内ケース４３とともに２本の固定ネジ４５により外ケース４２に固定されている。
【００２８】
電球接続部４０にはＬＥＤ電球１０がその口金１３を電球接続用ソケット４１に螺合して取付けられ、これによりＬＥＤ電球１０の中心電極１７と電球接続部４０の中央端子４４が電気的に接続されるとともに、ＬＥＤ電球１０の口金１３と電球接続部４０の電球接続用ソケット４１が電気的に接続される。電球接続部４０の電球接続用ソケット４１及び中央端子４４には２本の配線コード２１の一端部がそれぞれ電気的に接続され、両配線コード２１は外ケース４２と内ケース４３間の隙間を通って外部へ導出され、その他端部は電源接続部３０の電源接続用口金３１と中心電極３３とにそれぞれ電気的に接続されている。このように、電球接続用ソケット４１と中央端子４４とを２本の配線コード２１により電源接続用口金３１と中心電極３３とにそれぞれ電気的に接続しているので、電球用アダプタ２０の通電回路を極めて簡単に構成できる。
【００２９】
可動支持部５０は、電源接続用口金３１の中心線を含む上下方向の面内において分割可能な１対の分割体５０Ａ、５０Ｂで構成され、一方の分割体５０Ａの先端部側には係合爪５１が形成され、他方の分割体５０Ｂの先端部側には係合爪５１に係合可能な凹部５２が形成され、両分割体５０Ａ、５０Ｂは係合爪５１を凹部５２に係合させて先端部を結合するとともに、基端部を２本の固定ネジ５３にて固定することで組み立てられている。
【００３０】
電源接続部３０に対して可動支持部５０を回転自在に支持するため、電源接続部３０の支持部材３２の基端部には小径筒部３４が形成され、小径筒部３４の途中部には環状溝３５が形成されている。また、１対の分割体５０Ａ、５０Ｂを組み合わせた状態で、可動支持部５０の基端部には電源接続部３０の小径筒部３４に外嵌される筒部５４が形成され、筒部５４には環状溝３５に嵌合する環状突部５５が内側へ向けて形成され、可動支持部５０は、環状溝３５と環状突部５５との凹凸嵌合により、第１軸Ｌ１方向に移動不能で且つ第１軸Ｌ１回りに回転自在に電源接続部３０に取り付けられている。
【００３１】
図７に示すように、小径筒部３４の先端外周部には１つの係止突部３６が外方へ突出状に形成され、可動支持部５０の筒部５４には係止突部３６に係合して可動支持部５０の回転を規制する回転規制突部５６が内側へ向けて突出状に形成され、可動支持部５０は第１軸Ｌ１を中心に電源接続部３０に対して約３３０度の範囲で回転できるように構成されている。なお、係止突部３６と回転規制突部５６とは、ＬＥＤ電球１０を真下に向けた状態で、第１軸Ｌ１を挟んで反対側の周方向位置に配置されるように構成され、これによりＬＥＤ電球１０を真下へ向けた状態から、第１軸Ｌ１回りの両側へできるだけ広範囲にＬＥＤ電球１０を回動できるように構成されている。また、第１軸Ｌ１回りにＬＥＤ電球１０を回転させたときにおける配線コード２１の捩じれを極力防止するため、係止突部３６と回転規制突部５６とが第１軸Ｌ１を挟んで反対側の周方向位置に配置された状態で、配線コード２１に捩じれが発生しないように、該配線コード２１を接続することが好ましい。
【００３２】
１対の分割体５０Ａ、５０Ｂを組み合わせた状態で可動支持部５０には上下方向に貫通する開口部５７を有する環状部５８が形成され、分割体５０Ａ、５０Ｂの長さ方向の途中部には第３軸Ｌ３方向（略上下方向）に細長い１対の案内スリット５９がそれぞれ設けられ、電球接続部４０の外ケース４２の高さ方向の途中部には両案内スリット５９に沿って上下方向に移動可能に内嵌する１対の軸部４６が第２軸Ｌ２方向に突出状に形成されている。案内スリット５９には軸部４６を案内スリット５９の上部に保持する１対の上部保持突部６０と案内スリット５９の下部に保持する１対の下部保持突部６１が内側へ向けてそれぞれ突出状に形成され、上部保持突部６０間と下部保持突部６１間には軸部４６よりも小径の幅狭部６２が形成されている。案内スリット５９の少なくとも一方の側方には案内スリット５９に沿った細長い補助スリット６３が形成され、案内スリット５９と補助スリット６３間の中間壁部６４の素材の弾性を利用して、軸部４６を案内スリット５９の上部又は下部に位置切替可能に保持できるように構成されている。なお、案内スリット５９の高さ方向に間隔をあけて複数の保持突部を形成して複数の幅狭部６２を形成し、隣接する幅狭部６２間に軸部４６を保持できるように構成して、電球接続部４０の高さを上下方向に多段階に切替可能に構成することも可能である。また、補助スリット６３を設けると、案内スリット５９の上部又は下部に軸部４６を安定性良く保持することができるが、補助スリット６３は、案内スリット５９の片側のみに形成することも可能であるし、省略することも可能である。また、案内スリット５９に代えて、環状部５８の内側に上下方向に延びる案内溝を環状部５８の内側へ向けて開口するように形成し、該案内溝に軸部４６の端部を嵌合させて、電球接続部４０を高さ方向に位置切替可能に支持することも可能である。更に、外ケース４２側にスリットや溝を形成し、可動支持部５０側に該スリットや溝に嵌合する軸部を形成することも可能である。
【００３３】
この電球用アダプタ２０を用いてダウンライト１にＬＥＤ電球１０を取り付ける際には、案内スリット５９に沿って軸部４６を移動させて、可動支持部５０に対する電球接続部４０の第３軸Ｌ３の方向（高さ方向）の位置をランプケース２の深さに応じて切替えた状態で、電源ソケット３に電球用アダプタ２０の電源接続部３０の電源接続用口金３１を螺合させて、ダウンライト１の電源ソケット３に電球用アダプタ２０を取り付ける。この状態で、電球接続用ソケット４１にＬＥＤ電球１０を螺合して、ＬＥＤ電球１０を取り付けてから、ＬＥＤ電球１０の向きを第１軸Ｌ１回り及び第２軸Ｌ２回りに調整して、例えばダウンライト１の真下をＬＥＤ電球１０で照明することになる。
【００３４】
このように、この電球用アダプタ２０では、ＬＥＤ電球１０の向きを第１軸Ｌ１回り及び第２軸Ｌ２回りに調整して、ＬＥＤ電球１０による光の照射方向を調整できるので、例えばダウンライト１の真下へ向けて光を照射することができる。また、ランプケース２の深さに応じて電球接続部４０の高さ位置を調整できるので、図１に仮想線で示すように、ＬＥＤ電球１０をランプケース２の奥部側へ配置させて、ＬＥＤ電球１０の下端部がランプケース２から下方へ突出することを極力防止することができ、ＬＥＤ電球１０の下端部がランプケース２から下方へ突出することによる、ダウンライト１の見栄え性の低下を防止できる。
【００３５】
以上、本発明の実施形態について説明したが、本発明は前述した実施形態に何ら限定されるものではなく、本発明の要旨を逸脱しない範囲においてその構成を変更し得ることは勿論である。
【符号の説明】
【００３６】
１      ダウンライト        ２      ランプケース
３      電源ソケット        ４      取付金具
５      天井                ６      開口部
１０    ＬＥＤ電球          １１    基体部
１２    絶縁部材            １３    口金
１４    基板                １５    グローブ
１６    ＬＥＤ素子          １７    中心電極
２０    電球用アダプタ      ２１    配線コード
３０    電源接続部          ３１    電源接続用口金
３２    支持部材            ３３    中心電極
３４    小径筒部            ３５    環状溝
３６    係止突部
４０    電球接続部          ４１    電球接続用ソケット
４２    外ケース            ４３    内ケース
４４    中央端子            ４５    固定ネジ
４６    軸部
５０    可動支持部          ５０Ａ  分割体
５０Ｂ  分割体              ５１    係合爪
５２    凹部                ５３    固定ネジ
５４    外嵌筒部            ５５    環状突部
５６    回転規制突部        ５７    開口部
５８    環状部              ５９    案内スリット
６０    上部保持突部        ６１    下部保持突部
６２    幅狭部              ６３    補助スリット
６４    中間壁部
Ｌ１    第１軸              Ｌ２    第２軸
Ｌ３    第３軸
【図１】
0005906949.tif 000002
【図２】
0005906949.tif 000003
【図３】
0005906949.tif 000004
【図４】
0005906949.tif 000005
【図５】
0005906949.tif 000006
【図６】
0005906949.tif 000007
【図７】
0005906949.tif 000008